(57)【要約】      （修正有）【課題】ボール初速度が大きなゾーンが比較的大きく改良された打撃フェースを具備するメタルウッドクラブを提供する。【解決手段】曲げ剛性特性を改善させたゴルフクラブの打撃フェース２である。打撃フェース２が種々の材料から製造される。各材料の弾性引張係数が異なり、打撃フェース２の中央ゾーン４の弾性引張係数は打撃フェース２の周囲ゾーンの弾性引張係数よりかなり大きい。これにより中央ゾーン４が硬くなり、同心円上の部分がより容易に変形される。他の実施例では、材料の降伏強さが異なり、打撃フェース４の中央ゾーン４の降伏強さが打撃フェース２の周囲ゾーンの降伏強さよりかなり大きい。打撃フェース２はその周囲ゾーンで可塑的に変形し、他方中央ゾーン４は元の形状のままである。【選択図】図４
2007236945.tif 000002
【特許請求の範囲】
【請求項１】
打撃フェースを有し、
この打撃フェースが、
第１の材料を有して第１の弾性引張係数を有する中央ゾーンと、
上記中央ゾーンと同心的な第２のゾーンであって、第２の弾性引張係数の第２の材料を有する上記第２のゾーンとを有し、上記第１の弾性引張係数が上記第２の弾性引張係数より大きいことを特徴とするゴルフクラブヘッド。
【請求項２】
上記第１の材料の降伏強さが上記第１の材料の降伏強さより小さい請求項１記載のゴルフクラブヘッド。
【請求項３】
上記第２の材料は衝突時に変形して衝突応力を上記第１の材料に再分配する請求項９記載のゴルフクラブヘッド。
【請求項４】
上記第１の弾性引張係数の上記第２の弾性引張係数に対する比を最大化する請求項１記載のゴルフクラブヘッド。
【請求項５】
上記打撃フェースは上記クラブヘッドに溶接される請求項１記載のゴルフクラブヘッド。
【請求項６】
上記中央ゾーンは上記第２のゾーンに溶接される請求項１記載のゴルフクラブヘッド。
【請求項７】
上記打撃フェースはさらにクラウン拡張部を有する請求項１記載のゴルフクラブヘッド。
【請求項８】
上記打撃フェースはさらにソール拡張部を有する請求項１記載のゴルフクラブヘッド。
【請求項９】
上記第１および第２の材料は同一材料の合金を有する請求項１記載のゴルフクラブヘッド。
【請求項１０】
上記同一材料はチタンである請求項７記載のゴルフクラブヘッド。
【発明の詳細な説明】
【技術分野】
【０００１】
この発明は特許文献１および特許文献２に開示されたゴルフクラブヘッドに関連するものであり、その開示内容を適宜参照されたい。
【０００２】
この発明は改良したゴルフクラブヘッドに関する。より具体的には、この発明はボール初速度が大きなゾーンが比較的大きな改良された打撃フェースを具備するゴルフクラブヘッドに関する。
【背景技術】
【０００３】
ゴルフクラブの設計が複雑であることはよく知られている。クラブの各部品（すなわち、クラブヘッド、シャフト、ホーゼル、グリップ、それらの部品）の仕様はクラブの性能に直結する。したがって、設計仕様を変更することにより、特別な性能特徴を実現するように仕上げることができる。
【０００４】
クラブヘッドの設計は長く研究されてきた。クラブヘッドの設計においてより重要な配慮には、ロフト、ライ、フェースアングル、水平フェースバルジ、垂直フェースロール、重心、慣性、材料選定、ヘッドの全重量がある。この基本的な一組の基準が一般にゴルフクラブエンジニアリングの焦点であるが、他のいくつかの設計側面も検討されなければならない。クラブヘッドの内部設計、例えばホーゼルの収容部、シャフトとの結合手段、クラブヘッドの周辺ウェート、および中空クラブヘッド内のフィラーは、具体的な特徴を実現するために適合化できる。
【０００５】
ゴルフクラブヘッドは、また、ゴルフクラブとゴルフボールとの間の衝突の間に起こる衝撃の繰り返しに耐える強度を有しなければならない。この瞬間に起こる負荷により、ピークが９０７Ｋｇ（２０００ポンド）を越える力をゴルフボールに与えることになる。このため、クラブフェースおよびボディは材料の破砕や降伏に起因する永久的な変形や決定的な損傷に抗するように設計されなければならない。チタン製の中空メタルウッドドライバのフェースの厚さは、均一で２．５ｍｍより厚く、これにより、クラブヘッドの構造上の一体性を確実にしている。
【０００６】
プレーヤは、最大距離および着地位置の正確性を実現する、メタルウッドドライブおよびゴルフボールの組み合わせを通常求めている。打撃後のボール飛距離は、ボールの並進運動速度の大きさおよび方向と、ボールの回転速度すなわちスピンとにより支配される。気圧、湿度、温度および風速を含む環境条件がさらにボールの飛びに影響を与える。しかしながら、環境の効果はゴルフ用品メーカのコントロールを越えている。ゴルフボールの正確な着地も多くの要素により決定される。これらの要素のうちのいくつかは、クラブヘッド設計例えば重心やクラブヘッドの柔軟性に起因する。
【０００７】
合衆国ゴルフ協会（ＵＳＧＡ）すなわち合衆国におけるゴルフ規則の管理団体は、ゴルフボールの性能について仕様を持っている。これら性能仕様は、適合するゴルフボールのサイズおよび重量を規定する。１つのＵＳＧＡ規則は、所定の衝撃後のゴルフボールの初速度を７６．２ｍ（２５０フィート）／秒＋−２％（または７７．７ｍ（２５５フィート）／秒の最大初速度）に制限している。ゴルフボールの飛距離を大きくするために、この規則を満たしながら、衝撃後のボール速度およびボール・クラブ間衝撃の反発係数を最適化しなければならない。
【０００８】
一般に、環境による影響を無視すれば、ゴルフボールの飛距離はクラブヘッドによる衝撃の間にボールに加えられた全運動エネルギに左右される。衝突の際、運動エネルギはクラブから伝達されクラブヘッド中の弾性歪みエネルギとして、また、ボールの粘弾性歪みエネルギとして蓄積される。衝撃後、ボールおよびクラブに蓄積されたエネルギはボールおよびクラブの並進速度および回転速度の形で運動エネルギに変換されて戻される。衝突は完全には弾性的ではないので、エネルギの一部はクラブヘッドの振動やボールの粘弾性緩和に消費される。粘弾性緩和は、ゴルフボールに用いられるパリマー材料の材料特性である。
【０００９】
ボールの粘弾性緩和は寄生エネルギ源であり、これは変形率に依存する。この効果を最小化するために変形率を小さくする必要がある。これは、クラブフェースの衝突時の変形をより大きくすることにより実現できる。金属の変形は純粋に弾性的であろうから、クラブフェースに蓄えられた歪みエネルギは衝突の後にボールに戻り、この結果衝突後のボールの飛び出し速度を増加させる。
【００１０】
クラブフェースの許容変形を可変するために種々の手法を採用できる。これには、均一フェース肉薄化、剛性部材をリブとする薄肉フェース、可変厚さ、その他が含まれる。こられの設計は、十分な構造上の一体性を有して繰り返しの衝突にクラブフェースの永久的な変形を伴うことなく耐えるものでなくてはならない。また、一般に、慣用的なクラブヘッドでは、クラブのフェースの衝突位置に応じて、衝突後のボール初速度が変化する。したがって、大きな実質的に均一なボール初速度を実現するゾーンすなわち「スイートゾーン」が大きなクラブヘッドを提供することが当技術分野において望まれている。
【特許文献１】米国特許第６６０５００７号明細書
【特許文献２】特開２００４−３５８２２５号公報
【発明の開示】
【００１１】
この発明によれば、ゴルフクラブヘッドは、第１の材料からなる中央ゾーンを具備する打撃フェースを有し、この中央ゾーンは第１の弾性引張係数を有する。第２のゾーンは中央ゾーンと同心であり、第２の弾性引張係数の第２の材料から製造されている。第１の弾性引張係数は第２の弾性引張係数より大きい。
【００１２】
この発明の好ましい特徴は、添付の図面に開示され、複数の図において類似の参照番号は類似の要素を表す。
【発明を実施するための最良の形態】
【００１３】
この発明の基礎をなす米国特許第６，６０５，００７号は、実質的に均一な高初速度すなわち高反発係数（ＣＯＲ。Ｃｏｅｆｆｉｃｉｅｎｔ Ｏｆ Ｒｅｓｔｉｔｕｔｉｏｎ）のゾーン、すなわち、「スイートゾーン」もかなり大きくする改良されたゴルフクラブを開示している。当該特許の内容は参照してここに組み入れる。
【００１４】
ＣＯＲすなわち反発係数は、衝突効率の尺度である。ＣＯＲは接近時の速度に対する離反時の速度の比である。このモデルでは、したがって、ＣＯＲはつぎの式を用いて定義された。
（Ｖｃｌｕｂ−ｐｏｓｔ−Ｖｂａｌｌ−ｐｏｓｔ）／（Ｖｃｌｕｂ−ｐｒｅ−Ｖｂａｌｌ−ｐｒｅ）
ここで、
Ｖｃｌｕｂ−ｐｏｓｔは衝突後のクラブの速度を表す。
Ｖｂａｌｌ−ｐｏｓｔは衝突後のボールの速度を表す。
Ｖｃｌｕｂ−ｐｏｓｔは衝突前のクラブの速度を表す（ＵＳＧＡのＣＯＲ条件ではゼロの値）。
Ｖｂａｌｌ−ｐｒｅは衝突前のボールの速度を表す。
【００１５】
ＣＯＲは一般的に衝突物体の形状および材料特性に左右される。完全に弾性的な衝突ではＣＯＲは１（１．０）になり、エネルギ損失はゼロ（０．０）である。非弾性的な、または完全に塑性的な（ｐｌａｓｔｉｃ）衝突ではＣＯＲはゼロとなり、衝突した物体は衝突後に離反せず、エネルギ損失が最大になる。この結果、大きなＣＯＲ値がより大きなボール速度と距離をもたらすことを意味する。
【００１６】
図１は、親出願の’３４１出願の図２に対応し、この図に示されるように、クラブの精度や、均一な高初速度の大ゾーンは打撃フェース２により実現される。打撃フェース２は、中央ゾーン４、これを囲む中間ゾーン６およびオプションの周囲ゾーン８を具備している。好ましくは、中央ゾーン４の面積は、打撃フェース２の総面積の約１５％から約６０％であり、より好ましくは、約２０％から約５０％である。
【００１７】
中央ゾーン４は比較的堅固であり、中間ゾーン６は相対的に柔らかい。この結果、ボール衝突時に、フェース２の中間ゾーン６が変形して高ボール速度を実現する。他方、中央ゾーンは実質的に変形せず、ボールが目標に向かって飛んでいく。そして、ボール衝突時に、中間ゾーン６の変形により、中央ゾーン４がクラブヘッド１０の中に移動した後外に押し出される。中間ゾーン６は中央ゾーン４に隣接して位置してもよく、オプションの周囲ゾーン８は中間ゾーン６に隣接して位置しても良い。この結果、ヘッドは０．８１を越える反発係数を生じる。
【００１８】
そのような反発係数は、中央ゾーン４に第１曲げ剛性を付与し、中間ゾーン６に第２曲げ剛性を付与することにより達成される。曲げ剛性（ＦＳ）は、各部の平均弾性係数（Ｅ）に各部の平均厚さ（ｔ）の３乗を掛けたもの、すなわち
ＦＳ＝Ｅｔ３        （式１）
として定義される。
【００１９】
弾性係数および厚さの平均をどのように計算するかについては上述の米国特許第６，６０５，００７号に詳細に記載されており、これを参照されたい。厚さが変化する場合や材料が非均一な場合にＦＳをどのように求めるかについても当該米国特許に記載されている。
【００２０】
曲げ剛性は材料および厚さに応じて変化するので、中央ゾーン４および中間ゾーン６の曲げ剛性に実質的な差異を形成するためにつぎの手法を採用できる。すなわち、（１）各部に異なる材料を用いる。（２）各部を異なる厚さとする。または（３）各部の材料および厚さを異ならせる。例えば、好ましい実施例では、中央ゾーンの厚さを中間ゾーンの厚さより大きくし、材料は共通にする。
【００２１】
クラブヘッド１０においては、上述の曲げ剛性関係を達成するために、所定の弾性係数の材料を選択し、各ゾーンの厚さを変化させる。他の実施例では、上述の曲げ剛性関係を達成するために、各部の材料を変化させて異なる弾性係数を有するようにし、それに応じて厚さを変化させる。したがって、各ゾーンの厚さは、各ゾーンの材料の弾性係数に応じて同じ場合もあるし、異なる場合もある。また、曲げ剛性を所望のものにするために、構造リブ、強化プレート、厚さ助材（パラメータ）を用いても良い。中央ゾーン４および中間ゾーン６の曲げ剛性の好ましい比率については上述の親出願および米国特許第６，６０５，００７号に詳細に記載されており、これを参照されたい。
【００２２】
さらに上述の米国特許第６，６０５，００７号で検討したように、２またはそれ以上の異なる均一材料を用いて打撃フェース２を製造してもよい。例えば、中央ゾーン４を全般的に均一な厚さとし、ヤング率が３０．０×１０６ｌｂｓ／ｉｎ２のステンレス鋼から構成する。隣接する中間ゾーン６は、平坦な周辺部から中央ゾーン４へ連続してテーパ状に変化する。中間ゾーンの厚さは線形に変化する。中間ゾーン６は、ヤング率が１６．５×１０６ｌｂｓ／ｉｎ２のチタン合金から構成する。
【００２３】
つぎに図２−３を参照すると、親出願である’３４１特許出願の他の実施例が示される。この実施例において、打撃フェース２の中央ゾーン４がフェースインサート４２により形成される。フェースインサート４２は好ましくはクラブヘッド１０と溶接線２０に沿って溶接される。フェースインサート４２は多角形または楕円の主板部３４および側壁すなわちウィング７０を含み、ウィング７０はクラウン１４方向に伸びてクラウン１４の一部を形成する。このような構成で、溶接線２０の上方部分７１はクラウン１４へと移動させられる。溶接線２０により生じる歪みを打撃フェース２から除去することにより、ゴルフボールから繰り返し衝撃を受ける際に上部溶接線７１に沿って損傷が発生するのを抑制できる。
【００２４】
フェースインサート４２は好ましくはクラブヘッド１０の他の部分と同じ材料で製造される。例えば、チタン、チタン合金、スチール、またはクラブヘッドに使用して好適な他の任意の材料である。フェースインサート４２はクラブヘッド１０の他の部分と同じ厚さにすることが好ましいが、曲げ剛性を変化させるためにフェースインサート４２を厚くしてもよいし、薄くしても良い。
【００２５】
フェースインサート４２の形状・寸法は種々である。上述のとおり、フェースインサート４２は修正された長円形ＵカップまたはＬカップであるが、他の形状でも良い。例えば、矩形、楕円または円形である。フェースインサート４２は好ましくは打撃フェースの全表面を保護形成する。ただし、フェースインサート４２は打撃フェースのうちのより少ない部分を形成するものでも良い。また、ウィング７０がソール２２に伸びてソールの一部を形成しても良い。これは図３に示される。単にフェースインサート４２の形状を変更すれば良い。この場合、影響を受ける溶接線は下部溶接線７３である。
【００２６】
フェースインサート４２の材料特性は、フェースインサート４２を製造するために選択された手法により影響を受ける。例えば、シート金属をコールドロールまたはコールドワークして金属の結晶グレインを揃えた後に、当該シート金属からスタンピングによりフェースインサート４２を製造することが好ましい。このような金属をスタンピングすると打撃フェースは他の手法のものより強くなる。さらに、フェースインサート４２を、そのグレインのフローパターンがソールからクラウンの方向に揃うように、打撃フェース２内に配置する。代替的には、フェースインサート４２のグレインフローパターンをヒールからトウの方向すなわち対角方向に揃うようにしてもよい。他の周知の手法をフェースインサート４２を製造するために用いることができる。例えば、鍛造やキャスティングである。
【００２７】
好ましくは、フェースインサート４２はミリングまたはスタンプおよびフォーミングにより形成される。製造プロセスにおいて、打撃フェースに利用可能な展性金属、例えばチタン、チタン合金、炭素鋼、ステンレス鋼、ベリリウム銅、および他の鍛造可能な金属が加熱され、フェースカップの所望形状に鍛造される。適切な金属の例としては、これに限定されないが、チタン６−４合金、チタン１５−３−３−３合金、チタン２０−４−１合金、および日本、東京のダイドースチール（Ｄｉａｄｏ  Ｓｔｅｅｌ）から入手可能なＤＡＴ５５、ＤＡＴ５５Ｇが含まれる。
【００２８】
好ましい鍛造プロセスは、ダイまたはビレット鍛造であり、鍛造可能な金属の予め測定したロッドを加熱してダイおよびハンマの間に配置する。ダイはフェースインサート４２の所望形状を有する。加熱された金属はハンマ処理により所望の形状に加工される。フェースインサート４２を鍛造により製造すると、フェースの厚さをその周囲において約０．０６０インチ（約１．５ｍｍ）にすることができる。
【００２９】
図４−８を参照すると、この発明の他の実施例が示される。この実施例は、すでに説明した実施例の双方、すなわち、打撃フェースインサート４２を有するという特徴に主板部３４の配置された中央ゾーンインサート４４を組み合わせる。図７および８に最も明瞭に示されるように、中央ゾーンインサート４４は、当業界で知られている任意の形状、例えば、多角形、長円形、図示のように、不規則な形状の全体として平坦な部材である。主板部３４は中央ゾーンインサート４４を例えば溶接により結合するサポートとして機能する。
【００３０】
当業界で知られているように、溶接線またはジョイントは非連続な領域であり、同一の材料の２つの部材を結合する場合でさえ、結合部の近傍で部材の構造特性が変化する。溶接線をクラブヘッドのクラウンまたはソールに移動させることにより、打撃フェースの厚さをより正確に調整でき、また全体の打撃フェースの厚さをより薄くできる。結合部を用いて打撃フェースの特徴を変更することも可能である。この発明のこの側面によれば、打撃フェース４２は好ましくはオプションの延長部分７０、７３を有し、これがクラウン１４および／またはソール２２の一部を形成する。
【００３１】
好ましくは、２つの異なる材料を選択して打撃フェース４２を構成する。第１の材料は中央ゾーンインサート４４を形成するために使用され、第２の材料は打撃フェース４２の残余の部分を形成するのに使用される。換言すれば、この実施例の中央ゾーン４は、先に説明した中央ゾーンと同様に、第１の実施例で製造され、この実施例の移行ゾーン７は、先に説明した移行ゾーンと同様に、第２の材料から製造される。この実施例の中間ゾーン６は打撃フェース２のフェースサポート３０状に形成される。これは先に説明した中間ゾーンと同様である。この実施例では、中間ゾーン６は第１の材料、第２の材料または全く異なる材料から製造してよい。また、中間ゾーン６の一部を打撃フェース４２上に配置してもよい。中央ゾーンインサート４４の厚さは均一でも変化してもよく、打撃フェースインサート４２の厚さと同一で異なっていてもよい。
【００３２】
第１の合金は、その弾性引張係数ε１が第２の合金の引張係数ε２より著しく大きくなるように選択する。好ましくは、ε１のε２に対する比は実用可能な材料と同等な大きさとする。適切な材料の例はチタン合金である。好ましくは、選択される材牢は相互に溶接可能なものである。
【００３３】
ゴルフクラブヘッド１０、とくにドライバとして設計されたヘッドの打撃フェース２の性能は一般に板の挙動の物理と等価である。撓みや応力に関連して板の挙動を評価するための式で表される典型的な特性は、基本的な板の理論おいて標準的な仮説を用いて以下の式を生成する当業界で既知の定数の形態をとる。
Ｄ＝εｔ３／（１２（１−ｖ２））          （式２）
ここで、εは弾性の引張係数であり、ｔは板の厚さであり、ｖはポアソン比である。好ましい実施例では、チタン合金が用いられる場合、εの範囲は約７０ＧＰａから約１２８ＧＰａであり、ｖは約０．３３から約０．３５の範囲である。この発明の板の厚さｔは、とくに、製造手法および材料の特性に依存し、そのため、クラブフェースは、クラブの寿命期間の間、ゴルフボールとの衝突に伴う、大きな繰り返しの衝撃力に耐えるものとなる。
【００３４】
打撃フェースの構造的な挙動は、弾性引張係数が異なる合金を選択することにより部分的に調整できる。当業界で知られているように、半径ａで点荷重Ｐを中央に負荷した円形板の撓みｗの解はつぎの通りである。
ｗ＝Ｐａ２／（１６πＤ）        （式３）
【００３５】
したがって、撓みｗは、部分的に、円形板の材料の弾性引張係数εにより決定される。打撃フェース４２や中央ゾーンインサート４４は完全な円形の板ではないけれども、打撃フェース４２や中央ゾーンインサート４４の双方の撓みは式３で近似できる。当業界で知られているように、具体的な材料特性および厚さの板の実際の撓みｗは、有限要素法を含む種々の手法を用いて決定できる。
【００３６】
代替的には、第１および第２の材料は種々の伸張および降伏強さを有する。好ましくは、中央ゾーンインサート４４は非常に降伏強さが大きな第１の材料から製造される。その反面、打撃フェース４２の主板部３４および延長部分７０、７３は著しく降伏強さがそれより著しく小さい第２の材料から製造される。事例を目的とすると、中央ゾーンインサート４４はチタンから製造されてよく、他方、主板部３４および延長部分７０、７３はスチールから製造されてよい。降伏強さがより小さい材料を利用することにより、この実施例は、より降伏強さが小さな材料の塑性変形挙動の利点を実現できる。ゴルフボールが当たったときに、打撃フェース２は衝撃の力による応力を受ける。打撃フェース４２の一部が降伏強さを越える応力レベルを経験すると、その部分は伸びる。中央ゾーンインサート４４の降伏強さは打撃フェース４２のうちの周りの部分の降伏強さよりかなり大きいので、主板部３４は若干可塑的に変形するけれども、中央ゾーンインサート４４はそのような可塑的な変形を受けない。すなわち、主板部３４の周囲部分は中央ゾーンインサート４４に対してヒンジのように働き、衝突応力は打撃フェース４２のより硬い領域に再分配される。
【００３７】
今までこの発明の種々に説明してきたが、各実施例の種々の特徴は単独でも組み合わせても利用できることは明らかである。したがって、この発明は、ここで説明された具体的な好ましい実施例のみに限定されるべきでないことは明らかである。さらに、この発明の趣旨や範囲内においてこの発明が属する分野で習熟した知識を有する者が変形や変更を行なえることは明らかである。例えばフェースや個々のゾーンにおいてステップ状にまたは連続的に厚さが変化しても良い。他の変更例では、隣接する中間ゾーンよりも厚いまたは薄い周囲ゾーンを用いても良い。さらに、中央、中間および周囲ゾーンの形状は上述した形状に限定されない。したがって、この発明の趣旨及び範囲を逸脱することのなくここに示された開示内容に従って当技術分野に通じた者が容易に臨機応変になすことができるすべての変更はこの発明の他の実施例として含まれる。この発明の範囲は特許請求の範囲により規定される。
【図面の簡単な説明】
【００３８】
【図１】親出願で示されるような、この発明に従うゴルフクラブヘッドの分解正面図である。
【図２】親出願で示されるような、この発明に従うゴルフクラブヘッドの斜視図である。
【図３】図２のゴルフクラブヘッドの反転斜視図である。
【図４】この発明に従うゴルフクラブヘッドの代替的な実施例の斜視図である。
【図５】図４のゴルフクラブヘッドの平面図である。
【図６】図４のゴルフクラブヘッドの分解斜視図である。
【図７】図４のゴルフクラブヘッドの打撃フェースの斜視図である。
【図８】図７の打撃フェースの分解図である。
【符号の説明】
【００３９】
２    打撃フェース
４    中央ゾーン
６    中間ゾーン
７    移行ゾーン
８    周囲ゾーン
１０    ゴルフクラブヘッド
１４    クラウン
２０    溶接線
２２    ソール
３０    フェースサポート
３４    主板部
４２    打撃フェースインサート
４４    中央ゾーンインサート
７０、７３    延長部分
【図１】
2007236945.tif 000003
【図２】
2007236945.tif 000004
【図３】
2007236945.tif 000005
【図４】
2007236945.tif 000006
【図５】
2007236945.tif 000007
【図６】
2007236945.tif 000008
【図７】
2007236945.tif 000009
【図８】
2007236945.tif 000010
【外国語明細書】
2007236945.tif 000011
2007236945.tif 000012
2007236945.tif 000013
2007236945.tif 000014
2007236945.tif 000015
2007236945.tif 000016
2007236945.tif 000017
2007236945.tif 000018
2007236945.tif 000019
Ｃｌａｉｍｓ
2007236945.tif 000020
2007236945.tif 000021
１．Ａｂｓｔｒａｃｔ
2007236945.tif 000022
２．Ｒｅｐｒｅｓｅｎｔａｔｉｖｅ  Ｄｒａｗｉｎｇ
Ｆｉｇ．４
2007236945.tif 000023
2007236945.tif 000024
2007236945.tif 000025
2007236945.tif 000026